(57)【要約】【課題】安定かつ空間効率のよい方法で紙幣カセット内に紙幣を保管するための装置および方法を提供すること。【解決手段】組立体は紙幣カセット、圧力板、および、圧力板の反対側の少なくとも２つの縁部に回転可能に接続される複数のギヤを含む。実施において、実質的に平行な複数のラックは複数のギヤに噛み合うように構成される。【選択図】図１
2004310773.tif 000002
【特許請求の範囲】
【請求項１】
紙幣カセットと、
圧力板と、
前記圧力板の反対側の少なくとも２つの縁部に回転可能に接続される複数のギヤと、
紙幣カセットに連結される実質的に平行な複数のラックであって、前記複数のギヤと噛み合うように構成されるラックとを含む組立体。
【請求項２】
前記圧力板の反対側の縁部上で少なくとも２対のギヤを接続する少なくとも２つの軸をさらに含む請求項１に記載の装置。
【請求項３】
前記圧力板の面に結合された１つまたは複数の駆動ギヤを有する駆動機構をさらに含み、前記駆動機構が少なくとも２対のギヤに回転可能に結合される請求項１に記載の装置。
【請求項４】
前記複数のギヤが、一体軸を使用して前記圧力板の反対側の縁部に結合される請求項１に記載の装置。
【請求項５】
前記紙幣カセットの壁から離れるように前記圧力板を偏倚するために、前記圧力板の面および前記壁に結合されるバネをさらに含む請求項１に記載の装置。
【請求項６】
前記圧力板が、積み重ねられた紙幣の面に実質的に平行に維持される請求項１に記載の装置。
【請求項７】
実質的に平行な複数のラックの少なくとも１つが、前記紙幣カセットの側壁に一体に結合される請求項１に記載の装置。
【請求項８】
実質的に平行な複数のラックの少なくとも１つが、プラスチックで作られる請求項１に記載の装置。
【請求項９】
前記圧力板が、前記ラックに実質的に垂直な向きに維持される請求項１に記載の装置。
【請求項１０】
前記カセットは、閉位置にある時に前記カセットの壁と連動するドアを含む請求項１に記載の装置。
【請求項１１】
前記カセットは、ドアが閉位置にある時に前記カセットの側壁にある対応する開口部と連動する突起群を備える前記ドアを含む請求項１に記載の装置。
【請求項１２】
前記突起群の第１の突起が前記ドアの第１の側上に位置し、第２の突起が前記ドアの反対側上に位置し、前記第１および第２の突起が、前記カセットの反対側壁にある開口部とそれぞれ連動する請求項１１に記載の装置。
【請求項１３】
紙幣を保管する方法であって、
紙幣が紙幣カセット内の開口部に隣接するように紙幣を輸送する工程と、
前記開口部を介して予備保管箱に前記紙幣を駆動する工程と、
積み重ねられた紙幣の面に実質的に垂直な方向で前記紙幣を圧力板上に、前記開口部から離して積み重ねる工程と、
前記圧力板が、積み重ねられた紙幣の面にいつでも実質的に平行である向きを維持するように、前記圧力板の実質的に反対側の少なくとも２つの縁部に回転可能に接続され、実質的に平行な複数のラックに噛み合わされる複数のギヤを同期して噛み合わせる工程を含む方法。
【請求項１４】
前記開口部を介して前記紙幣を駆動する工程が、前記積み重ねられた紙幣の前記面に実質的に垂直な方向で行われる請求項１３に記載の方法。
【請求項１５】
前記積み重ねを安定に維持するために、前記圧力板を前記開口部に向かう方向で偏倚する工程をさらに含む請求項１３に記載の方法。
【請求項１６】
壁、ドア、および、圧力板に接続されるギヤに噛み合わせるための前記壁上の実質的に平行なラックを含む紙幣カセットの完全性を保全する方法であって、
カセット・ドアを閉じる工程と、
前記カセット・ドアを前記カセット壁に連動する工程とを含む方法。
【発明の詳細な説明】
【技術分野】
【０００１】
本発明は紙幣を安定して保管するための圧力板組立体に関し、より詳細には、ラックによって案内される圧力板に結合されたギヤを含む圧力板組立体に関する。
【背景技術】
【０００２】
自動取引き装置における典型的な紙幣カセットの紙幣保管箱は紙幣の積み重ねを支持するための圧力板などのプラットフォームを含む。圧力板は、以前に積み重ねられた紙幣と共に、新しく受領した紙幣を積み重ねるために移動することができる。積み重なった紙幣の数が増加するにつれて、積み重ねることによる移動中の、圧力板の平面と積み重ねられた紙幣の平面との間の僅かな変動により、積み重ねが湾曲することがある。積み重ねが湾曲した場合、紙幣カセットは保管するために紙幣を受け入れることが不可能になることがあり、したがって、自動取引き装置はサービス作業が必要となることがある。したがって、新しく受領した紙幣を積み重ねる間、積み重ねられた紙幣の平面に対して圧力板の平面との間の変化を最小に抑えることが重要である。同様に、紙幣を保管するために利用可能な紙幣カセットの紙幣保管箱内の空間を最大にすることも重要である。
【０００３】
圧力板組立体は、典型的に、圧力板をある方向で偏倚するために１つまたは複数のバネを使用する。従来の組立体において、新しく受領された紙幣が積み重ねられる間に圧力板をスロットに沿って案内するために、圧力板は縦方向の各縁部にピンを使用し、これは保管箱のスロットに嵌め込まれる。他の圧力板組立体は、新しく受領された紙幣を積み重ねるために圧力板を案内するため、ポストに沿って移動するスリーブ軸受に接続されるカンチレバー板を使用する。別法として、新しく受領した紙幣を積み重ねる間に圧力板を移動させるために、圧力板の下に結合された挟み込み機構を使用することができる。
【発明の開示】
【発明が解決しようとする課題】
【０００４】
安定かつ空間効率のよい方法で紙幣カセット内に紙幣を保管するための装置および方法が必要である。
【課題を解決するための手段】
【０００５】
本装置および方法は、様々な長さおよび幅の紙幣の積み重ねを通常の方式で有利に維持し、積み重ねられた紙幣の面と圧力板との間の平行を維持することによって紙幣カセット内の積み重ねを安定に支持する。
１つの態様において、本発明は紙幣カセット、圧力板、圧力板の実質的に反対側の少なくとも２つの縁部に回転可能に接続された１つまたは複数のギヤ、および、ギヤの１つまたは複数と噛み合うように構成される１つまたは複数の実質的に平行なラックを含む装置を開示する。
【０００６】
本装置の１つの実施形態において、ギヤの１つまたは複数は圧力板の第１の縁部において１つまたは複数の軸に接続することができ、軸の１つまたは複数は圧力板の第２の縁部まで延長することができる。ギヤの１つまたは複数は圧力板の第２の縁部において軸の１つまたは複数と結合することができる。
他の実施形態において、ギヤの１つまたは複数は、圧力板の面に結合された１つまたは複数の駆動ギヤを有する駆動機構に回転可能に結合することができる。
【０００７】
さらに他の実施形態において、ギヤは、一体軸を使用して圧力板の反対側の縁部に接続することができる。装置は、圧力板を紙幣カセットの壁から離れるように偏倚するために、圧力板の面および紙幣カセットの壁に結合されたバネを含む。圧力板は積み重ねられた紙幣の面に実質的に平行に維持することができる。実質的に平行なラックの少なくとも１つは紙幣カセットの側壁に一体に結合することができ、ラックはプラスチックで作ることができる。圧力板はラックに実質的に垂直な向きに維持することができる。
【０００８】
カセットは、閉じられた時にカセットの壁と連動するドアを含むことができる。１つの実施において、例えば、ドアは、ドアが閉位置にある時にカセットの側壁にある対応する開口部と連動する突起を含む。連動突起は、カセットが落とされたか、または、他の力を受けた時にカセットの完全性の維持を支援することができる。
【０００９】
本発明の第２の態様において、紙幣を保管するための方法が開示され、これは、紙幣が紙幣カセット内の開口部に隣接するように紙幣を輸送する工程、開口部を介して予備保管箱に紙幣を駆動する工程、積み重ねられた紙幣の面に実質的に垂直な方向に紙幣を圧力板上に開口部から離して積み重ねる工程を含む。本方法は、圧力板が、積み重ねられた紙幣の面にいつでも実質的に平行である向きを維持するように、圧力板の実質的に反対側の少なくとも２つの縁部に回転可能に接続され、実質的に平行な複数のラックに噛み合わされる複数のギヤを同期して噛み合わせる工程を含む。
【００１０】
１つの実施形態において、本方法は、紙幣を、積み重ねられた紙幣の面に実質的に垂直な方向に開口部を介して駆動する工程を含むことができる。圧力板は、積み重ねを安定に維持するために開口部に向かう方向で偏倚することができる。
【００１１】
前述の技術は以下の長所の１つまたは複数を提供することができる。この技術は、新しく受領した紙幣を積み重ねる間に、積み重ねられた紙幣の平面に関して圧力板の平面との間の変化を最小に抑えることができる。加えて、この技術は、紙幣を保管するために利用可能である紙幣カセットの紙幣保管箱内の空間を最大にすることができる。結果として、本技術は、安定かつ空間効率のよい方法で紙幣カセット内に紙幣を保管するための解決策を提供できる。
【００１２】
本発明の１つまたは複数の実施形態の詳細は、添付の図面および以下の説明において述べる。本発明の他の特徴、目的、および、長所は説明と図面、および、特許請求の範囲から明らかとなる。
様々な図面における同じ参照記号は同じ要素を示す。
【発明を実施するための最良の形態】
【００１３】
図１は、ゲーム機または自動販売機などの自動取引き装置において使用することができる紙幣アクセプタ組立体１０の実施を示す。組立体１０はフレーム４０に結合された紙幣確認器２０を含む。取外し可能な紙幣カセット５０は紙幣確認器２０およびフレーム４０に結合することができる。紙幣カセットは（図６Ａに示す）スタッカ／プッシャ手段３７０を含むことができる。用語「紙幣」は、紙製通貨、銀行券、優待券、トークン、スマート・カード、デビット・カード、クレジット・カード、および、保安文書などを含むが、これらに限らないすべての形態の支払いを含むことに注意されたい。
【００１４】
紙幣確認器２０は挿入された紙幣が受け付け可能かどうかを決定する。紙幣は、紙幣入口３０を使用して紙幣確認器に１回に１枚ずつ挿入することができる。続いて、紙幣の有効性および額面金額を確認するためにセンサが使用される。紙幣確認の詳細は、本出願の範囲を超えており、詳細には説明しない。もし紙幣が受け付けられないものであると見出されたなら、その紙幣は紙幣入口３０を介して排出される。もし紙幣が受け付けられるものであると決定されたなら、紙幣は、（図６Ｂに示す）紙幣輸送路３５２に沿って（図６Ｂに示す）予備保管箱３５５に輸送される。予備保管箱は紙幣を枠に入れて、適切な場所に保持する。受け付けられた紙幣が予備保管箱に完全に輸送された後で、（図６Ａに示す）スタッカ手段３７０は、受け付けられた紙幣を予備保管箱から、これが保管される紙幣カセットの紙幣保管箱３５４（図７Ａを参照）に駆動するために動作する。本発明がスタッカ手段と共働するように構成されているため、スタッカ手段の動作に関するさらなる詳細を以下に述べる。
【００１５】
図２はフレーム４０から取り外された紙幣カセット５０を示す。カセットは所定数の特定寸法の紙幣を収容するために選択された高さＨＣＣ、長さＬＣＣ、および、幅ＷＣＣを有する。カセットは予備保管箱への紙幣入口２０２を含む。紙幣カセット５０は、開くことができ、そのため、保管された紙幣が取り出せる（図４Ａに示す）ドア３８０を含む。
【００１６】
図３Ａおよび３Ｂは紙幣カセット内の圧力板組立体３００のそれぞれ左および右の斜視切開図である。自動取引き装置は様々なサイズである可能性のある様々な国からの紙幣を受け付けることがある。したがって、継続された使用の後に、圧力板によって支持される紙幣の積み重ねは多くの異なる長さおよび幅の紙幣から構成されることがある。例えば、積み重ねの低部は、ヨーロッパの紙幣一式の複数の幅および複数の長さの紙幣に見られるように、小さなサイズの２００枚の紙幣の下にある大きなサイズの１００枚の紙幣の下にある小さなサイズの２００枚の山から構成されることがある。このような積み重ねのサイズが増大すると、紙幣の数および積み重ねにおけるそれらの紙幣のサイズの差のために、積み重ねは不安定になり、湾曲しやすくなることがある。積み重ねの湾曲の結果として、紙幣カセットは紙詰まりを起こすことがあり、新しい紙幣を受け付けて積み重ね、サービスを要求することができなくなることがある。したがって、紙幣スタッカ／プッシャ手段を使用して積み重ねの上に駆動される追加の紙幣を収容するために圧力板が移動する際に、積み重ねられた紙幣の面に実質的に平行となるように圧力板の向きを維持することが重要である。
【００１７】
サービス担当者が紙幣カセットから紙幣を取り出す時に、圧力板を紙幣の面に実質的に平行に維持することも重要である。もし積み重ねが湾曲することが可能であれば、カセットのドアが開かれた時に１つまたは複数の紙幣が保管箱の外に落ちる可能性がある。図３Ａおよび３Ｂに示すように、紙幣が紙幣カセットから取り出される際に、サービス担当者が紙幣カセットから紙幣を取り出す間に点力３７８がサービス担当者によって圧力板の１つの縁部にかけられる可能性がある。圧力板は、圧力板が、積み重ねられた紙幣の面に実質的に平行のままであるように、この点力に抵抗するように設計されなければならない。このようにして、サービス担当者が紙幣カセットから紙幣を取り出す際に紙幣の積み重ねは湾曲しない。
【００１８】
圧力板組立体３００は紙幣カセット内に紙幣を安定に保管し、紙幣カセットの高さＨＣＣより小さい長さＬＰＰ、および、紙幣カセットの幅ＷＣＣより小さい幅ＷＰＰを有することができる圧力板３０２を含む。圧力板は（図３Ａに示す）第１の縦縁部３０６および（図３Ｂに示す）第２の縦縁部３０７を有する。８個の噛み合わせギヤ３０４は圧力板の第１の縦縁部３０６に回転可能に接続されるが、いずれの偶数個のギヤも使用することができる。噛み合わせギヤ３０４の偶数個の最も外側のギヤの１つである第１の端部ギヤ３０８は、第１の軸３１０の一端に接続される。噛み合わせギヤ３０４の偶数個の最も外側のギヤの別の１つである第２の端部ギヤ３１２は、第２の軸３１４の一端に接続される。参照の容易のために取り出された偏倚力をかけるバネを備える図３Ａおよび３Ｂの圧力板組立体の低部斜視図である図４Ａおよび４Ｂを参照すると、第１および第２の軸３１０、３１４は、圧力板の第１の縦縁部３０６におけるそれぞれの孔８０２、８０４を介して送られる。これらの軸３１０、３１４は圧力板の第２の縦縁部３０７まで延長し、圧力板の第２の縦縁部３０７におけるそれぞれの孔８０６、８０８を介して送られる。第１の調整ギヤ３１６は第１の軸３１０に結合され、圧力板の第２の縦縁部３０７に回転可能に接続される。第２の調整ギヤ３１８は第２の軸３１４に結合され、圧力板の第２の縦縁部３０７に回転可能に接続される。各軸３１０、３１４に関する端部ギヤおよび調整ギヤの回転は同期される。したがって、軸に接続される２つのギヤは１つとして機能する。
【００１９】
図３Ａおよび４Ａを参照すると、遊動ギヤ３３０は第１および第２の端部ギヤを連結するために第１の端部ギヤ３０８と第２の端部ギヤ３１２との間に定置される。遊動ギヤ３３０は一体軸３２８を使用して圧力板の第１の縦縁部３０６に回転可能に接続される。別法として、第１および第２の端部ギヤは、第１のカプリング・ギヤを第１の軸に、および、第２のカプリング・ギヤを第２の軸に結合することによって一体に連結することができる。第１と第２の軸との間の偶数本の中間軸は、圧力板の第１の縦縁部から圧力板の第２の縦縁部まで延長することができる。遊動ギヤは各中間軸に結合される。遊動ギヤは第１のカプリング・ギヤおよび第２のカプリング・ギヤと噛み合わせるために使用される。これによって、第１の端部ギヤは第２の端部ギヤに連結される。別法として、第１の端部ギヤおよび第２の端部ギヤはギヤ、軸、および／または、ベルトを使用して一体に連結することができる。実施において、６個の遊動ギヤを使用することができる。端部ギヤの間により多数の偶数個のギヤを使用することにより、ギヤおよびラックが圧力板の非長手方向縁部により近く位置するため、紙幣カセットから紙幣を取り出す間にサービス担当者によって印加される点への力（以下、点力）３７８に対して、圧力板組立体がより抵抗するようになる。しかし、多くのギヤの使用に関連したバックラッシュも考慮されなければならない。端部ギヤ間により少ない偶数個のギヤを使用して、例えば２つの遊動ギヤは、ギヤを点力に応じて結束させることができる。実施形態において、噛み合わせギヤ３０４は、点力が印加される圧力板の非長手方向縁部により近く位置する。この構成を使用して、圧力板組立体は点力に対して、より抵抗を持つ。圧力板組立体３００は、紙幣カセットの壁３５０から離れるように圧力板を偏倚するための、圧力板３０２の低部および紙幣カセットの（図６Ａおよび６Ｂに示す）壁３５０に結合されるバネ３２０も含む。
【００２０】
図３Ａおよび４Ａを参照すると、圧力板組立体３００は、それぞれ第１の端部ギヤ３０８、第１の調整ギヤ３１６、第２の端部ギヤ３１２、および、第２の調整ギヤ３１８を噛み合わせるための実質的に平行の複数のラック３２２、３２４、３２６、３２８を含む。紙幣保管箱３５４も同様に示す。ラック３２２、３２４、３２６、３２８は、紙幣カセットの側壁に一体に成形することができる。実施形態において、ラックはプラスチックまたは成形ポリカーボネートで作ることができる。プラスチックまたは成形ポリカーボネートのラックは、もし紙幣カセットが落とされても、金属製ラックより変形する可能性が低い。
【００２１】
図５は窓孔板の低部切開斜視図である。バネ３２０は紙幣カセットの背面壁３５０に結合することができ、あたかも紙幣保管箱３５４が紙幣で満たされているかの如くに収縮した状態で示される。バネ３２０は窓孔板３６０に向かって圧力板３０２を偏倚するために機能する。窓孔板は、紙幣の幅より小さい幅「Ｗ」、および、紙幣の長さより長くてもよい長さ「Ｌ」を有する長方形の開口部５１の側面を規定する。図６Ａおよび６Ｂは空の紙幣カセットの左および右の切開斜視図であり、スタッカ／プッシャ手段３７０を含む。紙幣カセットは紙幣輸送通路３５２を含む。
【００２２】
図５および６Ａ〜６Ｃを参照すると、スタッカ／プッシャ手段３７０は、紙幣カセットの窓孔板内の開口部５１の幅Ｗより狭い幅を有するプッシャ板３７２を含む。スタッカ／プッシャ手段３７０は、プッシャ板３７２に結合される挟み込み機構３７１に結合される作動ギヤ３７５、３７６、３７７も含む。スタッカ／プッシャ手段は、紙幣が予備保管箱の端部３５３に適切に到達したという指示を受けると、活性化される。実施において、紙幣カセットは２つの端部３５８、３５９を備えるプリズムを含む。紙幣確認器および紙幣カセットがフレームに接続されると、プリズムの一端は、紙幣確認器の印刷回路板上にあってもよいＬＥＤの直接に前にあり、プリズムの他の一端は紙幣確認器の印刷回路板上にあってもよい受光器の直接に前にある。プリズム、ＬＥＤ、および、受光器を含むこのシステムはセンサとして使用される。紙幣が不在であれば、ＬＥＤから光が放射されると、光は一端から他の一端へプリズムを介して伝播し、受光器によって検出されて連続的な光路を形成する。動作中、受け付けられた紙幣は紙幣確認器を出て、紙幣入口２０２を介して紙幣カセットの輸送通路３５２に送られる。この時間中、連続的な光路は紙幣の先頭側の縁部によって遮断される。紙幣は、紙幣の大多数が紙幣輸送通路３５２に沿って予備保管箱に輸送されるまで、光の連続的な通路を妨害し続ける。上述したように、紙幣の大多数が紙幣輸送通路に到達すると、紙幣は連続的な光路をもはや遮断しない。
【００２３】
連続的な光路が再確立された後で、センサ・システムは、紙幣カセットの紙幣保管箱３５４に向けて紙幣を駆動するために、スタッカ／プッシャ手段３７０に信号を送る。挟み込み機構３７１に接続される作動ギヤは、挟み込み機構を広げさせる。挟み込み機構がプッシャ板３７２に接続されているために、プッシャ板は収縮し、紙幣を、窓孔板の開口部５１を介して紙幣保管箱３５４に駆動する。プッシャ板３７２が紙幣を開口部５１を介して紙幣保管箱に駆動する際に、紙幣の縁部はその最長の寸法に沿って変形または折れ曲がる。紙幣が紙幣保管箱３５４内により深く押し込まれる際、紙幣の縁部は、圧力板の開口部５１の縁部のもう１つの側で折り曲げから広がる。
【００２４】
プッシャ板３７２は、圧力板３０２上の紙幣の積み重ねに接触させるために、開口部５１を介して紙幣を駆動する。プッシャ板３７２は、紙幣の面が圧力板３０２の表面と実質的に平行になるように、圧力板上に紙幣を積み重ねる。スタッカ／プッシャ手段３７０は、積み重ねられた紙幣の面に実質的に垂直な方向に、かつ、開口部５１から離れるように圧力板３０２を移動させる。圧力板３０２は、圧力板に結合されるギヤをラックと同期して回転させることによって、保管処理全体を通じて、積み重ねられた紙幣の面に実質的に平行な向きを維持する。
【００２５】
プッシャ板３７２が、紙幣カセット５０の背面壁３５０に向かう方向で圧力板３０２上に力をかける間、第１の軸３１０によって一体に接続される第１の端部ギヤ３０８および第１の調整ギヤ３１６はそれらの対応するラック３２２、３２４に沿った第１のユニットとして回転する。同時に、第２の軸３１４によって接続される第２の端部ギヤ３１２および第２の調整ギヤ３１８はそれらの対応するラック３２６、３２８に沿った第２のユニットとして回転する。遊動ギヤ３３０は実質的に平行なラックに沿った第１および第２のユニットの回転に同期する。したがって、圧力板３０２は、紙幣の面に実質的に平行なそれ自身の向きを維持する。
【００２６】
紙幣が圧力板上に積み重ねられた後で、プッシャ板３７２は紙幣輸送通路３５２の前のそれ自身の通常の位置に退却する。プッシャ板３７２が圧力板３０２にもはや接触していないため、バネ３２０は、窓孔板３６０の内部表面に向けて、積み重ねられた紙幣に沿って圧力板を押す。上記に説明したように、窓孔板の開口部５１は紙幣が折れ曲がることなく全体が収納されるためには小さ過ぎる。したがって、最も新しく積み重ねられた紙幣が窓孔板の開口部５１を通過しない。
【００２７】
図７Ａおよび７Ｂは、保管箱が紙幣でほとんど容量まで満たされた場合の紙幣カセットの左および右側の図である。参照の容易のために、積み重ねられた紙幣は示さない。示すように、圧力板３０２の側面上にギヤを搭載すること、および、小さなギヤを使用することによって、圧力板の下の非常に小さな空間が圧力板組立体によって必要とされる。したがって、紙幣を保管する時、非常に小さな空間が圧力板の低部と紙幣カセットの背面壁との間に残るように、圧力板は、紙幣カセットの背面壁３５０にほとんど反して押すことができる。実施形態において、最大２０００枚を超える紙幣を紙幣カセット５０の紙幣保管箱３５４内に保管することができる。
【００２８】
図８は本発明の代替実施形態による圧力板組立体５００の斜視図である。圧力板組立体５００は、図３に示す圧力板３００内で使用されるような軸３１０、３１４の代わりに、駆動ギヤ５２０、５２２、５２４、５２６を含む駆動機構を有する圧力板５０２を含む。図８を参照すると、圧力板５０２は第１の縦縁部５０６および第２の縦縁部５０７を有する。噛み合わせギヤ５０８、５１２は一体軸５１０、５１４をそれぞれ介して第１の縦縁部５０６に回転可能に接続される。同様に、噛み合わせギヤ５１６、５１８は一体軸５１１、５１５をそれぞれ介して第２の縦縁部５０７に回転可能に接続される。噛み合わせギヤ５０８、５１２は駆動ギヤ５２０、５２２、５２４、５２６を介して噛み合わせギヤ５１６、５１８と同期される。そのため、圧力板５０２の面に印加される圧力５７８が、ギヤを、曲がった矢印で示すように同期させて回転させる。
【００２９】
図９および１０に示すように、カセット・ドア３８０は、ドアが閉位置にある時にカセットの壁と連動することができる。例えば、１つの実施において、ドア３８０は、ドアをカセット５０の本体と連動させるため、および、カセットが落とされるか、他の衝撃に曝された場合にカセットの完全性の維持に役立てるために使用できる突起３８２を含む。図９Ａは開かれた位置にあるドア３８０を示す。取っ手などの１つまたは複数の突起３８２はドア３８０の各側面から延長する。ドアが閉位置にある時（図１０Ａを参照）、各突起３８２の外側部分はカセットの側壁内の対応する凹み３８４内に嵌まる。各突起３８２のより細い内側部分３８８はカセットの側壁内の対応する切抜き領域３８６内に嵌まる。ドアが閉じられると、突起３８２はカセットの側壁と連動し、側壁を拘束し、圧力板上のギヤがラック（例えば、ラック３２２、３２６）と噛み合わなくなることを防止するのを助ける。カセットは、ドア内の開口部３９０内に位置する（図示しない）１つまたは複数の錠を典型的に含むことができる。ドアは閉位置において施錠することができ、カセットの内容への不当な接触を防止する。
【００３０】
ドアが閉位置にある時にカセット・ドアを壁に連動するために、他の設計も使用することができる。例えば、ドア３８０は、ドアが閉じられた時にカセットの側面の周囲を部分的に包む（図示しない）延長部を含むことができる。突起または延長部は、ドアが閉位置にある時にカセットの対向する側壁に内向きの力を提供することができ、これによって、カセットの完全性の維持を支援する。他の実施において、カセットの側壁上の突起はドア内の対応する開口部と連動することができるか、または、実質的に連続する壁と連動を達成することができる。
【００３１】
当業者には、述べた発明の精神および範囲から逸脱することなく、様々な変形を行えることが理解される。例えば、上記に説明した実施形態においては紙幣輸送通路が紙幣カセット内に形成されたが、代替実施形態においては、紙幣輸送通路を通貨カセットとスタッカ／プッシャ手段の組み合わせによって形成することができる。紙幣輸送通路の１つの半体は紙幣カセットによって形成することができ、紙幣輸送通路の他の半体はスタッカ／プッシャ手段によって形成することができる。
【００３２】
圧力板に結合されたバネが偏倚圧力を供給する実施形態を説明したが、他の形態の偏倚圧力も可能とすることができる。例えば、偏倚圧力は軸の周囲の捻りバネによって供給することができる。圧力はバネ以外の手段でも発生させることができる。例えば、弾性発泡体、磁力、気体支柱、モータ駆動体、または、他の手段を使用できる。
【００３３】
同様に、一体軸を使用して遊動ギヤが圧力板の第１の縦縁部に回転可能に接続される実施形態を説明したが、遊動ギヤは他の場所に位置することもできる。代替実施形態において、第１のカプリング・ギヤは第１の軸に含むことができ、第２のカプリング・ギヤは第２の軸に含むことができる。偶数本の中間軸は第１の縦縁部から第２の縦縁部に延長することができる。遊動ギヤは中間軸の各々に結合することができる。内部軸上の遊動ギヤは互いに噛み合わせることができ、最も外側の中間軸上の遊動ギヤは第１および第２のカプリング・ギヤと噛み合わせることができる。このように、他の実施形態も冒頭の特許請求の範囲の範囲内である。
【図面の簡単な説明】
【００３４】
【図１】本発明の実施形態による、紙幣確認器、フレーム、および、紙幣カセットを含む組立体の斜視図である。
【図２】本発明の実施形態による、フレームから取り出された紙幣カセットの斜視図である。
【図３Ａ】本発明の実施形態による、紙幣カセット内の圧力板組立体の左側の切開斜視図である。
【図３Ｂ】本発明の実施形態による、紙幣カセット内の圧力板組立体の右側の切開斜視図である。
【図４Ａ】参照を容易にするために偏倚バネが取り外された図３Ａおよび３Ｂの圧力板組立体の左側の低部斜視図である。
【図４Ｂ】参照を容易にするために偏倚バネが取り外された図３Ａおよび３Ｂの圧力板組立体の右側の低部斜視図である。
【図５】図３Ａおよび３Ｂの紙幣カセット内の窓孔の低部斜視図である。
【図６Ａ】図３Ａおよび３Ｂの空の紙幣カセット内の圧力板組立体の左側の切開斜視図である。
【図６Ｂ】図６Ａの空の紙幣カセット内の圧力板組立体の右側の切開斜視図である。
【図６Ｃ】紙幣カセットのスタッカ手段の簡略分解図である。
【図７Ａ】紙幣カセット内で紙幣を搭載および保管するために圧力板がどのように移動するかを説明する、図３Ａおよび３Ｂの紙幣カセット内の圧力板組立体の左側の切開側面図である。
【図７Ｂ】紙幣カセット内で紙幣を搭載および保管するために圧力板がどのように移動するかを説明する、図３Ａおよび３Ｂの紙幣カセット内の圧力板組立体の右側の切開側面図である。
【図８】本発明の実施形態による圧力板組立体の斜視図である。
【図９】９Ａは、カセット側壁と連動する特徴を有するドアを備えるカセットを説明する図であり、９Ｂは、１つの実施による連動機構の分解図であり、９Ｃは、１つの実施による連動機構の分解図である。
【図１０】１０Ａは、閉鎖位置における図９Ａのカセットのドアを説明する図であり、１０Ｂは、ドアが閉鎖位置にある連動機構の分解図である。
【図１】
2004310773.tif 000003
【図２】
2004310773.tif 000004
【図３Ａ】
2004310773.tif 000005
【図３Ｂ】
2004310773.tif 000006
【図４Ａ】
2004310773.tif 000007
【図４Ｂ】
2004310773.tif 000008
【図５】
2004310773.tif 000009
【図６Ａ】
2004310773.tif 000010
【図６Ｂ】
2004310773.tif 000011
【図６Ｃ】
2004310773.tif 000012
【図７Ａ】
2004310773.tif 000013
【図７Ｂ】
2004310773.tif 000014
【図８】
2004310773.tif 000015
【図９】
2004310773.tif 000016
【図１０】
2004310773.tif 000017
【外国語明細書】
2004310773.tif 000018
2004310773.tif 000019
2004310773.tif 000020
2004310773.tif 000021
2004310773.tif 000022
2004310773.tif 000023
2004310773.tif 000024
2004310773.tif 000025
2004310773.tif 000026
2004310773.tif 000027
2004310773.tif 000028
2004310773.tif 000029
2004310773.tif 000030
2004310773.tif 000031
2004310773.tif 000032
2004310773.tif 000033
2004310773.tif 000034
2004310773.tif 000035
2004310773.tif 000036
2004310773.tif 000037
2004310773.tif 000038
2004310773.tif 000039
2004310773.tif 000040
2004310773.tif 000041
2004310773.tif 000042
2004310773.tif 000043
2004310773.tif 000044
2004310773.tif 000045
2004310773.tif 000046
2004310773.tif 000047
2004310773.tif 000048
2004310773.tif 000049
2004310773.tif 000050